(57)【要約】【課題】ビデオ信号の種類、外部表示装置のアスペクト比や大きさに関係なく、ユーザの見やすいユーザインターフェース画面等を外部モニタに表示することができる撮像装置を提供する。【解決手段】被写体像を電気信号に変換する撮像手段１と、前記電気信号を基に外部モニタ１２に出力するためのビデオ信号を生成する信号処理手段３と、外部モニタ１２から該外部モニタ１２の画面の大きさ情報を取得するＩＥＥＥ１３９４インターフェース１０と、ＩＥＥＥ１３９４インターフェース１０によって取得した前記画面の大きさ情報を基に外部モニタ１２の画面の大きさを判断するとともに、該判断結果に基づいて、外部モニタ１２の画面に表示する内容を切り替えるマイコン８と、を備える。【選択図】図１
2009141477.tif 000002
【特許請求の範囲】
【請求項１】
被写体像を電気信号に変換する撮像手段と、前記電気信号を基に外部表示装置に出力するためのビデオ信号を生成する信号処理手段と、前記外部表示装置から該外部表示装置の画面の大きさ情報を取得する通信手段と、該通信手段によって取得した前記画面の大きさ情報を基に前記外部表示装置の画面の大きさを判断する判断手段と、該判断手段の判断結果に基づいて、前記外部表示装置の画面に表示する内容を切り替える制御手段と、を備えることを特徴とする撮像装置。
【請求項２】
信号処理手段は、前記ビデオ信号に所定の情報を表示させるための画像データを生成する表示画像生成手段と、該表示画像生成手段により生成された画像データと前記ビデオ信号とを合成する画像合成手段と、を備え、
前記制御手段は、前記判断手段の判断結果に基づいて、前記外部表示装置の画面に表示する内容を切り替えるように前記表示画像生成手段を制御する、ことを特徴とする請求項１に記載の撮像装置。
【請求項３】
前記制御手段は、前記判断手段により前記外部表示装置の画面が小さいと判断されたとき、前記外部表示装置の画面を上層及び下層の階層構造で表示すると共に、上層を複数頁で表示するように前記表示画像生成手段を制御する、ことを特徴とする請求項２に記載の撮像装置。
【請求項４】
前記制御手段は、前記判断手段により前記外部表示装置の画面が大きいと判断されたとき、前記外部表示装置にグラフィック表示による選択画面を表示するように、前記表示画像生成手段を制御する、ことを特徴とする請求項２又は３に記載の撮像装置。
【請求項５】
前記通信手段は、ＩＥＥＥ１３９４インターフェース又はＵＳＢインターフェースである、ことを特徴とする請求項１〜４のいずれか一項に記載の撮像装置。
【請求項６】
被写体像を電気信号に変換する撮像ステップと、前記電気信号を基に外部表示装置に出力するためのビデオ信号を生成する信号処理ステップと、前記外部表示装置から該外部表示装置の画面の大きさ情報を取得する通信ステップと、該通信ステップで取得した前記画面の大きさ情報を基に前記外部表示装置の画面の大きさを判断する判断ステップと、該判断ステップでの判断結果に基づいて、前記外部表示装置の画面に表示する内容を切り替える制御ステップと、を備えることを特徴とする撮像装置の制御方法。
【発明の詳細な説明】
【技術分野】
【０００１】
本発明は、デジタルビデオカメラ等の撮像装置及び撮像装置の制御方法に関する。
【背景技術】
【０００２】
従来のデジタルビデオカメラとしては、例えば、図９に示すものがある。
【０００３】
このデジタルビデオカメラは、被写体像を電気信号に変換する撮像手段１、撮像手段１からの電気信号をデジタルビデオ信号に変換するカメラ信号処理手段２を備える。
【０００４】
また、デジタルビデオカメラは、デジタルビデオ信号を磁気テープ等の記録媒体に記録する為のレコーダ信号に変換するレコーダ信号処理手段３を備える。
【０００５】
レコーダ信号処理手段３は、デジタルビデオ信号を受け渡しするビデオインターフェース４と、表示画像生成手段５とを有する。
【０００６】
表示画像生成手段５は、マイコン８の制御によりモードに応じてメモリ上にビットマップＯＳＤ（Ｏｎ  Ｓｃｒｅｅｎ  Ｄｉｓｐｌａｙ）による所定の情報の画像データを生成する。
【０００７】
また、レコーダ信号処理手段３は、ビデオインターフェース４からの出力に表示画像生成手段５で生成された画像を合成するミックス処理手段６を有する。
【０００８】
ミックス処理手段６の出力は、アナログ変換され、ビデオ信号としてＬＣＤ等の表示手段７や接続ケーブル等を介して接続された外部のモニタ１２に出力される。
【０００９】
また、カメラ部が動画カメラ部か静止画カメラ部かにより、モニタ１２に表示されるキャラクタのアスペクト比を切り替える技術（特許文献１）や、ハイビジョン用のモニタ１２に接続された場合に表示を切り替える技術（特許文献２）が提案されている。
【特許文献１】特開２００４−４０５７４号公報
【特許文献２】特開２００５−１０１８６５号公報
【発明の開示】
【発明が解決しようとする課題】
【００１０】
ところで、アスペクト比が１６：９の大型或いは小型のハイビジョンモニタや大型のＮＴＳＣモニタ等のように、多種の信号フォマットに対応したモニタでは、モニタの大きさに応じて表示を切り替える必要がある。
【００１１】
しかし、上記特許文献１では、モニタの大きさについて考慮されていないため、大型のモニタでも小型のモニタでも同じ表示内容になる。従って、モニタの大小によって文字が大きくなったり小さくなったりして見にくくなる問題がある。
【００１２】
また、上記特許文献２では、モニタ用接続ケーブルの接続状態からハイビジョン用のモニタに接続されたか否かを判断する。
【００１３】
そして、ハイビジョン用のモニタに接続された場合は、高精細度のビデオ信号を出力してモニタの画面表示内容及びユーザインターフェース画面をハイビジョン用に切り替える。
【００１４】
しかし、この場合も、モニタの大小は考慮されておらず、ハイビジョン用のモニタは大型のモニタであるとの前提でユーザインターフェース画面等を切り替えるため、小型のハイビジョン用モニタでは、文字等が見にくくなるという問題がある。
【００１５】
そこで、本発明は、ビデオ信号の種類、外部表示装置のアスペクト比や大きさに関係なく、ユーザの見やすいユーザインターフェース画面等を外部表示装置に表示することができる撮像装置及び撮像装置の制御方法を提供することを目的とする。
【課題を解決するための手段】
【００１６】
上記目的を達成するために、本発明の撮像装置は、被写体像を電気信号に変換する撮像手段と、前記電気信号を基に外部表示装置に出力するためのビデオ信号を生成する信号処理手段と、前記外部表示装置から該外部表示装置の画面の大きさ情報を取得する通信手段と、該通信手段によって取得した前記画面の大きさ情報を基に前記外部表示装置の画面の大きさを判断する判断手段と、該判断手段の判断結果に基づいて、前記外部表示装置の画面に表示する内容を切り替える制御手段と、を備えることを特徴とする。
【００１７】
本発明の撮像装置の制御方法は、被写体像を電気信号に変換する撮像ステップと、前記電気信号を基に外部表示装置に出力するためのビデオ信号を生成する信号処理ステップと、前記外部表示装置から該外部表示装置の画面の大きさ情報を取得する通信ステップと、該通信ステップで取得した前記画面の大きさ情報を基に前記外部表示装置の画面の大きさを判断する判断ステップと、該判断ステップでの判断結果に基づいて、前記外部表示装置の画面に表示する内容を切り替える制御ステップと、を備える。
【発明の効果】
【００１８】
本発明によれば、外部表示装置の画面の大きさに応じて表示画面を切り替えているので、ビデオ信号の種類、外部表示装置のアスペクト比や大きさに関係なく、ユーザの見やすいユーザインターフェース画面等を外部表示装置に表示することができる。
【発明を実施するための最良の形態】
【００１９】
以下、本発明の実施形態を図を参照して説明する。
【００２０】
（第１の実施形態）
図１は、本発明の第１の実施形態であるデジタルビデオカメラ（撮像装置）を説明するためのブロック図である。
【００２１】
本実施形態のデジタルビデオカメラは、図１に示すように、被写体像を電気信号に変換する撮像手段１と、撮像手段１からの電気信号をデジタルビデオ信号に変換するカメラ信号処理手段２とを備える。
【００２２】
また、本実施形態のデジタルビデオカメラは、デジタルビデオ信号を磁気テープ等の記録媒体に記録する為のレコーダ信号処理手段３を備える。
【００２３】
レコーダ信号処理手段３は、デジタルビデオ信号を受け渡しするビデオインターフェース４と、マイコン（マイクロコンピュータ）８の制御によりメモリ上にビットマップＯＳＤの所定の情報（設定情報等）の画像データを生成する表示画像生成手段５とを有する。
【００２４】
また、レコーダ信号処理手段３は、ビデオインターフェース手段４の出力信号に表示画像生成手段５で生成された画像データを合成するミックス処理手段（画像合成手段）６を有する。
【００２５】
ミックス処理手段６の出力信号は、アナログ変換され、ビデオ信号としてＬＣＤ等の表示手段７や接続ケーブル等を介して接続された外部のモニタ（外部表示装置）１２に出力される。
【００２６】
本実施形態のデジタルビデオカメラは、ＩＥＥＥ１３９４インターフェース（通信手段）１０を介してモニタ１２と通信可能とされている。
【００２７】
マイコン（制御手段）８は、ＩＥＥＥ１３９４インターフェース１０を介してモニタ１２の画面の大きさ情報をモニタ１２の接続時又は電源投入時に取得してバックアップメモリ手段９に保存する。
【００２８】
そして、マイコン８は、モニタ１２の画面の大きさ情報に基づいてモニタ１２の画面サイズを判断し、該判断結果に応じて表示画像生成手段５を制御して、モニタ１２に表示されるユーザインターフェース画面を切り替える。
【００２９】
即ち、マイコン８は、モニタ１２の画面が小さい（例えば１５インチ）と判断したときは、モニタ１２の画面で多数の項目を表示すると小さくて見にくい為、図２に示すように、大きな文字で複数頁（例えば２頁）に表示するように表示画像生成手段５を制御する。
【００３０】
また、マイコン８は、モニタ１２の画面が大きい（例えば３７インチ）と判断したときは、小さな文字でも画面が大きく見やすい為、図３に示すように、まとめて１ページに表示するように表示画像生成手段５を制御する。
【００３１】
以上説明したように、本実施形態では、モニタ１２の大きさに応じて表示画面を切り替えているので、ビデオ信号の種類、モニタ１２のアスペクト比や大きさに関係なく、ユーザの見やすいユーザインターフェース画面をモニタ１２に表示することができる。
【００３２】
なお、本実施形態では、記録モードの場合の処理について説明したが、マイコン８が記録モードと再生モードとを切り替える制御を行い、再生モード時に、上記記録モード時と同様の処理を行なうようにしてもよい。この場合、記録モード時は、モニタ１２の大きさに関係なく、小型のモニタと同様の表示を行うようにしてもよい。
【００３３】
（第２の実施形態）
次に、図４を参照して、本発明の第２の実施形態であるデジタルビデオカメラについて説明する。なお、上記第１の実施形態に対して重複する部分については図に同一符号を付して説明する。
【００３４】
本実施形態のデジタルビデオカメラは、図４に示すように、回転磁気ヘッドを搭載し、磁気テープの情報を磁気ヘッドで読み取って電気信号に変換するメカデッキ２１と、メカデッキ２１の出力信号を増幅する再生回路２２とを備える。
【００３５】
また、本実施形態のデジタルビデオカメラは、再生回路２２の出力信号をデジタルビデオ信号に変換して復調する為のレコーダ信号処理手段３を備える。
【００３６】
レコーダ信号処理手段３は、再生回路２２の出力信号をデジタルビデオ信号に変換する再生信号処理手段２３と、マイコン８の制御によりメモリ上にビットマップＯＳＤの所定の情報（設定情報等）の画像データを生成する表示画像生成手段５とを有する。
【００３７】
また、レコーダ信号処理手段３は、再生信号処理手段２３の出力信号に表示画像生成手段５で生成された画像データを合成するミックス処理手段６を有する。
【００３８】
ミックス処理手段６の出力信号は、アナログ変換され、ビデオ信号としてＬＣＤ等の表示手段７や接続ケーブル等を介して接続された外部のモニタ（外部表示装置）１２に出力される。
【００３９】
本実施形態のデジタルビデオカメラは、ＵＳＢインターフェース（通信手段）１１を介してモニタ１２と通信可能とされている。
【００４０】
マイコン（制御手段）８は、ＵＳＢインターフェース１１を介してモニタ１２の画面の大きさ情報をモニタ１２の接続時又は電源投入時に取得してバックアップメモリ手段９に保存する。
【００４１】
そして、マイコン８は、モニタ１２の画面の大きさ情報に基づいてモニタ１２の画面サイズを判別し、該判別結果に応じて表示画像生成手段５を制御して、モニタ１２に表示されるユーザインターフェース画面を切り替える。
【００４２】
即ち、マイコン８は、モニタ１２の画面が小さい（例えば１５インチ）と判断したときは、図５に示すように、メニュー画面を上層及び下層の階層構造で表示すると共に、上層を複数頁（例えば２頁）で表示するように表示画像生成手段５を制御する。この場合、下層（図５の右側）の項目を選択する為には、まず上層（図５の左側）の項目の「カメラ設定」を選択する。
【００４３】
また、マイコン８は、モニタ１２の画面が大きい（例えば３７インチ）と判断したときは、小さな文字でも画面が大きく見やすい為、図６に示すように、まとめて１ページに表示するように表示画像生成手段５を制御する。
【００４４】
以上説明したように、本実施形態では、モニタ１２の大きさに応じて表示画面を切り替えているので、ビデオ信号の種類、モニタ１２のアスペクト比や大きさに関係なく、ユーザの見やすいユーザインターフェース画面をモニタ１２に表示することができる。
【００４５】
（第３の実施形態）
次に、図４を参照して、本発明の第３の実施形態であるデジタルビデオカメラについて説明する。なお、上記第１の実施形態に対して重複する部分についてはその説明を省略する。
【００４６】
本実施形態では、上記第１の実施形態と同様に、マイコン８は、モニタ１２の画面の大きさ情報に基づいてモニタ１２の画面サイズを判断し、該判断結果に応じて表示画像生成手段５を制御して、モニタ１２に表示されるユーザインターフェース画面を切り替える。
【００４７】
そして、マイコン８は、モニタ１２の画面が小さい（例えば１５インチ）と判断したときは、図７に示すように、メニュー画面で日時設定画面を選択したときに、国名を文字で選択させる画面を表示するように、表示画像生成手段５を制御する。
【００４８】
また、マイコン８は、モニタ１２の画面が大きい（例えば３７インチ）と判断したときは、メニュー画面で日時設定画面を選択したときに、図８に示すように、地図（グラフィック表示）による国名の選択画面を表示するように、表示画像生成手段５を制御する。その他の構成及び作用効果は、上記第１の実施形態と同様である。
【図面の簡単な説明】
【００４９】
【図１】本発明の第１の実施形態であるデジタルビデオカメラ（撮像装置）を説明するためのブロック図である。
【図２】小型モニタの表示例を示す図である。
【図３】大型モニタの表示例を示す図である。
【図４】本発明の第２の実施形態であるデジタルビデオカメラ（撮像装置）を説明するためのブロック図である。
【図５】小型モニタの表示例を示す図である。
【図６】大型モニタの表示例を示す図である。
【図７】本発明の第３の実施形態であるデジタルビデオカメラ（撮像装置）を説明するための図であり、小型モニタの表示例を示す図である。
【図８】大型モニタの表示例を示す図である。
【図９】従来のデジタルビデオカメラを説明するためのブロック図である。
【符号の説明】
【００５０】
１    撮像手段
２    カメラ信号処理手段
３    レコーダ信号処理手段
４    ビデオインターフェース
５    画像生成手段
６    ミックス処理手段
７    表示手段
８    マイコン
９    バックアップメモリ手段
１０    ＩＥＥＥ１３９４インターフェース
１１    ＵＳＢインターフェース
１２    モニタ
２１    メカデッキ
２２    再生回路
２３    再生信号処理手段
【図１】
2009141477.tif 000003
【図２】
2009141477.tif 000004
【図３】
2009141477.tif 000005
【図４】
2009141477.tif 000006
【図５】
2009141477.tif 000007
【図６】
2009141477.tif 000008
【図７】
2009141477.tif 000009
【図８】
2009141477.tif 000010
【図９】
2009141477.tif 000011